(57)【要約】【課題】  自動的に対象物の名称などの関連情報を取得して、撮影している画像情報における観測方向に存在する対象物に名称を表示する携帯通信端末及び対象物案内表示システムを実現すること。【解決手段】カメラ部１０４は被写体を含む被写体周辺の画像情報を取得する。ＧＰＳ受信部１０３は現在位置している場所の位置情報を取得する。方位センサ１１０は現在位置から被写体の方位情報を取得する。制御部１１３は、前記位置情報、方位情報及び被写体の検索条件に基づいて地図情報データベースより検索された被写体名称を取得し、方位が前記被写体画像に一致する被写体名称と前記被写体画像とを合成して表示部１０５に表示するように制御する。表示部１０５には、被写体画像及び当該被写体画像に対応する被写体名称が合成表示される。【選択図】  図２
2010124185.tif 000002
【特許請求の範囲】
【請求項１】
被写体画像を含む被写体周辺の画像情報を取得する撮像部と、地図情報や前記画像情報を表示する表示部と、現在位置している場所の位置情報を取得する測位部と、現在位置からの前記被写体の方位情報を取得する方位取得部と、少なくとも前記位置情報及び被写体の検索条件に基づいて地図情報データベースより検索された被写体名称を取得し、方位が前記被写体画像に一致する被写体名称と前記被写体画像とを合成して前記表示部に表示するように制御する制御部とを備えることを特徴とする携帯通信端末。
【請求項２】
前記制御部は、前記位置情報、前記方位情報及び被写体の検索条件に基づいて地図情報データベースより検索された被写体名称を取得し、方位が前記被写体画像に一致する被写体名称と前記被写体画像とを合成して前記表示部に表示するように制御することを特徴とする請求項１記載の携帯通信端末。
【請求項３】
前記制御部は、前記被写体の検索条件として少なくとも携帯通信端末から前記被写体までの距離、前記被写体のカテゴリー及び前記被写体の高さを用いて検索された被写体名称を取得することを特徴とする請求項１又は２記載の携帯通信端末。
【請求項４】
前記撮像部で撮像されている前記被写体画像をフォーカスするフォーカスロック部を備え、前記制御部は、前記フォーカスロック部により前記被写体画像がフォーカスされたとき、前記被写体名称を取得し、前記被写体画像と合成して前記表示部に表示するよう制御することを特徴とする請求項１乃至３のいずれか一に記載の携帯通信端末。
【請求項５】
データの送受信が可能な通信部を備え、前記通信部は前記位置情報、方位情報及び検索条件をネットワークを介して、前記地図情報データベースを保持する外部のサーバに送信すると共に、前記位置情報、方位情報及び検索条件に基づいて前記地図情報データベースより検索された被写体名称を前記サーバから取得することを特徴とする請求項１乃至４のいずれか一に記載の携帯通信端末。
【請求項６】
前記画像情報中の前記被写体画像を指示するポインティング操作子を備え、前記制御部は、前記ポインティング操作子によって任意の前記被写体画像が指定されたとき、前記被写体に対応する被写体名称を前記表示部に表示するように制御することを特徴とする請求項１乃至５のいずれか一に記載の携帯通信端末。
【請求項７】
被写体画像を含む被写体周辺の画像情報を取得する撮像部と、地図情報や前記画像情報を表示する表示部と、現在位置している場所の位置情報を取得する測位部と、現在位置からの前記被写体の方位情報を取得する方位取得部と、少なくとも前記位置情報及び被写体の検索条件をネットワークを介して送信すると共に前記ネットワークを介して被写体名称を受信する通信部と、前記通信部が受信した被写体名称を取得し、方位が前記被写体画像に一致する被写体名称と前記被写体画像と合成して前記表示部に表示するように制御する制御部とを有する携帯通信端末と、
地図情報データベースを保持し、前記ネットワークを介して前記携帯通信端末と接続されるサーバとを備え、
前記サーバは、前記携帯通信端末から少なくとも前記位置情報及び前記被写体の検索条件に基づく検索依頼を受けて、少なくとも前記位置情報及び前記検索条件に基づいて前記地図情報データベースから被写体名称を検索し、前記ネットワークを介して前記携帯通信端末へ送信することを特徴とする対象物案内表示システム。
【請求項８】
前記通信部は、前記位置情報、前記方位情報及び被写体の検索条件をネットワークを介して送信すると共に前記ネットワークを介して被写体名称を受信し、
前記サーバは、前記携帯通信端末から前記位置情報、方位情報及び前記被写体の検索条件に基づく検索依頼を受けて、前記位置情報、方位情報及び検索条件に基づいて前記地図情報データベースから被写体名称を検索し、前記ネットワークを介して前記携帯通信端末へ送信することを特徴とする請求項７記載の対象物案内表示システム。
【請求項９】
前記通信部は、前記被写体の検索条件として少なくとも携帯通信端末から前記被写体までの距離、前記被写体のカテゴリー及び前記被写体の高さを送信し、
前記制御部は、前記位置情報、方位情報及び前記検索条件を用いて検索された被写体名称を取得し前記被写体画像と合成して前記表示部に表示するように制御することを特徴とする請求項７又は８記載の対象物案内表示システム。
【請求項１０】
前記携帯通信端末は、前記撮像部で撮像されている前記被写体画像をフォーカスするフォーカスロック部を備え、前記制御部は、前記フォーカスロック部により前記被写体画像がフォーカスされたとき、前記被写体名称を取得し、前記被写体画像と合成して前記表示部に表示するよう制御することを特徴とする請求項７乃至９のいずれか一に記載の対象物案内表示システム。
【請求項１１】
前記携帯値通信端末は、前記画像情報中の前記被写体画像を指示するポインティング操作子を備え、前記制御部は、前記ポインティング操作子によって任意の前記被写体画像が指定されたとき、前記被写体に対応する被写体名称を前記表示部に表示するように制御することを特徴とする請求項７乃至１０のいずれか一に記載の対象物案内表示システム。
【発明の詳細な説明】
【技術分野】
【０００１】
本発明は、携帯通信端末及び携帯通信端末を用いた対象物案内表示システムに関し、特に、利用者が観測している被写体に名称を付して表示させることが可能な携帯通信端末及び携帯通信端末を用いた対象物案内表示システムに関する。
【背景技術】
【０００２】
従来から、携帯電話などの携帯通信端末を用いた案内装置が報告されている。
たとえば、被支援者が携帯する携帯通信端末の画面に、被支援者の移動経路の各地点で動画像からなる写真画像が表示されるとともに写真画像中の対象物が被支援者の移動方向を誘導するように移動し、被支援者が写真画像中の対象物の移動を見ることにより目的地点に誘導されるような移動支援装置（特許文献１参照）や、使用者が認識対象物が何であるか知りたいとき、対象物を指示して「あれ何？」と入力することで、任意の方向に見える山や建物の名称などの情報を容易に入手することができる携帯通信端末（特許文献２参照）などが報告されている。
【０００３】
また、車載の携帯通信端末を用いたナビゲーション装置であって、自車周辺の地図画像の表示領域周辺に各種の付加情報に対応する付加画像をまとめて表示して、地図画像に含まれる道路形状等の表示が付加画像によって妨げられることがなく、また、付加画像についても地図画像内に隠れて目立たなくなることがないようにし、見やすさを改善したものが報告されている（特許文献３参照）。
【０００４】
【特許文献１】特開２００７−１６３３７０号公報
【特許文献２】特開２００４−０９６６２７号公報
【特許文献３】特開２００２−０３９７６９号公報
【発明の開示】
【発明が解決しようとする課題】
【０００５】
上記した特許文献１〜３に記載された従来例は、いずれも携帯通信端末を用いて、位置情報と方位情報に基づいて被写体名称を検索して被写体画像と合成して表示部に表示するようにした案内表示装置である。
しかし、これらの従来技術のうち、特許文献１及び特許文献３に記載された発明では、読み出して表示できる山や建物の名称は進行方向や誘導方向に位置するものに限られ、周囲３６０℃の任意の方向の景色についての情報は得られないという問題があった。
また、特許文献２に記載された発明では、山や建物の名称を得るサーチを実行するためには、対象撮影時に「あれ何？」とコマンドを入力する必要があり、その分の検索時間が必要であるという問題があった。
【０００６】
本発明は、以上の問題点を解決して、自動的に対象物の名称などの関連情報を取得して、撮影している画像情報における観測方向に存在する対象物に名称を表示する携帯通信端末及び対象物案内表示システムを実現することを課題とする。
【課題を解決するための手段】
【０００７】
上記課題を解決するため、本発明に係る携帯通信端末は、被写体画像を含む被写体周辺の画像情報を取得する撮像部と、地図情報や前記画像情報を表示する表示部と、現在位置している場所の位置情報を取得する測位部と、現在位置からの前記被写体の方位情報を取得する方位取得部と、少なくとも前記位置情報及び被写体の検索条件に基づいて地図情報データベースより検索された被写体名称を取得し、方位が前記被写体画像に一致する被写体名称と前記被写体画像とを合成して前記表示部に表示するように制御する制御部とを備えることを特徴としている。
【０００８】
撮像部は被写体画像を含む被写体周辺の画像情報を取得する。表示部は地図情報や前記画像情報を表示する。測位部は現在位置している場所の位置情報を取得する。方位取得部は現在位置からの前記被写体の方位情報を取得する。制御部は、少なくとも前記位置情報及び被写体の検索条件に基づいて地図情報データベースより検索された被写体名称を取得し、方位が前記被写体画像に一致する被写体名称と前記被写体画像とを合成して前記表示部に表示するように制御する。
【０００９】
また、本発明によれば、被写体画像を含む被写体周辺の画像情報を取得する撮像部と、地図情報や前記画像情報を表示する表示部と、現在位置している場所の位置情報を取得する測位部と、現在位置からの前記被写体の方位情報を取得する方位取得部と、少なくとも前記位置情報及び被写体の検索条件をネットワークを介して送信すると共に前記ネットワークを介して被写体名称を受信する通信部と、前記通信部が受信した被写体名称を取得し、方位が前記被写体画像に一致する被写体名称と前記被写体画像と合成して前記表示部に表示するように制御する制御部とを有する携帯通信端末と、
地図情報データベースを保持し、前記ネットワークを介して前記携帯通信端末と接続されるサーバとを備え、
前記サーバは、前記携帯通信端末から少なくとも前記位置情報及び前記被写体の検索条件に基づく検索依頼を受けて、少なくとも前記位置情報及び前記検索条件に基づいて前記地図情報データベースから被写体名称を検索し、前記ネットワークを介して前記携帯通信端末へ送信することを特徴とする対象物案内表示システムが提供される。
【００１０】
携帯通信端末の通信部は、少なくとも位置情報及び被写体の検索条件をネットワークを介して送信すると共に前記ネットワークを介して被写体名称を受信する。サーバは、携帯通信端末から少なくとも前記位置情報及び前記被写体の検索条件に基づく検索依頼を受けて、少なくとも前記位置情報及び検索条件に基づいて地図情報データベースから被写体名称を検索し、ネットワークを介して前記携帯通信端末へ送信する。制御部は、前記通信部が受信した被写体名称を取得し被写体画像と合成して表示部に表示するように制御する。
【発明の効果】
【００１１】
本発明によれば、自動的に対象物の名称などの関連情報を取得して、撮影している画像情報における観測方向に存在する対象物に名称を表示する携帯通信端末及び対象物案内表示システムを提供することができる。
【発明を実施するための最良の形態】
【００１２】
次に、発明を実施するための最良の形態について図面を参照して詳細に説明する。
図１は、本発明の対象物案内表示システムの一実施形態の構成を示すブロック図である。
図１に示すように、本システムは、本発明の実施の形態に係る携帯通信端末１００と、サーバ装置２００と、インターネットなどの通信ネットワーク３００とを備えている。
携帯通信端末１００は、被写体周辺の画像情報を取得する撮像部と、地図情報や前記画像情報を表示する表示部と、携帯通信端末１００が現在位置している場所の位置情報（測位情報）を取得する測位部と、現在位置から前記被写体の方位情報を取得する方位取得部とを備えている。サーバ装置２００は、地図情報データベースを保持している。
携帯通信端末１００及びサーバ装置２００は、プログラム制御によって動作するように構成され、通信ネットワーク３００を介して相互に接続されている。
【００１３】
図２は、本発明の実施の形態に係る携帯通信端末１００の機能ブロック図である。
携帯通信端末１００は、通話、メール送受信、インターネット接続などを行う通信機能、カメラ撮像機能、測位機能、テレビジョン（ＴＶ）放送受信機能等を備えた携帯電話装置である。
携帯通信端末１００は、図２に示すように無線通信部（通信部）１０１、放送受信部１０２、ＧＰＳ受信部（測位部）１０３、カメラ部（撮像部）１０４、表示部１０５、操作部１０６、マイクロフォン（送話部）１０８、スピーカ（受話部）１０９、音声処理部１０７、方位センサ（方位取得部）１１０、報知部１１１、記憶部１１２、制御部１１３及びアンテナ１１４を備えている。
【００１４】
アンテナ１１４は、図示しない無線基地局との間で電波の送受信を行う為や、放送波の受信の為に用いられる。無線通信部１０１は、アンテナ１１４を介して無線基地局との間で無線により情報の送受を行う。これにより、少なくとも携帯通信端末１００の位置情報及び被写体の検索条件をネットワーク３００を介して送信すると共にネットワーク１００を介して被写体名称を受信する。
【００１５】
放送受信部１０２は、地上局、衛星などの放送局から送信された放送信号をアンテナ１１４を介して受信し、受信した信号を復調して映像データ、音声データ、情報データ等の放送信号受信処理を行う。
ＧＰＳ受信部１０３は、図示しないＧＰＳ衛星から発射された電波が携帯通信端末１００に到達するまでの時間を測定し、この時間差からＧＰＳ衛星と携帯通信端末１００との距離を求め、この距離を利用して位置座標を求める処理を実行する。これにより、携帯通信端末１００が現在位置している場所の位置情報を取得する。
【００１６】
カメラ部１０４は、撮影によって被写体を含む被写体周辺の画像情報を取得する。表示部１０５は、映像信号処理によって画像、図形、文字、記号などの情報の表示出力を行い、具体的には地図情報やカメラ部１０４が撮影した画像情報の表示を行う。操作部１０６は、テンキー、スクロールキー、十字キー、決定キー等から構成され、携帯通信端末１００に対する利用者からの各種情報の入力を実行する。
【００１７】
音声処理部１０７は、マイクロフォン１０８からの入力音声信号の処理および受話された音声信号、データ処理によって合成された音声信号のスピーカ１０９からの出力処理を行う。
方位センサ１１０は、地磁気を検出して携帯通信端末１００が指す被写体方向などの方位を算出し、現在位置からの前記被写体の方位情報を取得する。報知部１１１は、楽音や報知音などの鳴音出力とバイブレータによる振動出力によって受信、受話時の表示、時報表示、アラーム表示などを行う。
【００１８】
記憶部１１２は、電話帳情報、送受信メール情報、発着呼情報、コンテンツ情報、アプリケーションプログラム情報、撮影画像、及び携帯無線端末１００の諸設定等を格納するとともに、制御部１１３の処理に必要な記憶領域を提供する。
制御部１１３は、電話機能、メール機能、インターネット(ｗｅｂ)接続機能、カメラ機能、テレビ受信機能、測位機能、電子コンパス機能、コンテンツ再生機能、その他の端末の有する各機能や各部の制御を行う。制御部１１３は、無線通信部１０１が受信した被写体名称を取得し、方位が被写体画像に一致する被写体名称と前記被写体画像とを合成して表示部１０５に表示するように制御する。
【００１９】
図３に、本発明の実施の形態に係る対象物案内表示システムに使用するサーバ装置２００の機能ブロック図を示す。サーバ装置２００は、ワークステーション、サーバなどの情報処理装置で構成され、ネットワーク３００を介して通信を行う通信部２０１と、装置の制御を行う制御部２０２と、アプリケーションプログラムを記憶するとともに、制御部２０２の処理に必要な記憶領域を提供する記憶部２０３と、建物や地形などの地上の目印となるランドマークのカテゴリや位置情報、高さ、距離などの地図情報を記憶している地図データベース２０４を備えている。
【００２０】
サーバ装置２００の通信部２０１は、携帯通信端末１００から少なくとも携帯通信端末１００の位置情報及び被写体の検索条件に基づく検索依頼を受けると、制御部２０２は少なくとも前記位置情報及び前記検索条件に基づいて地図情報データベース２０４から被写体名称を検索し、通信部２０１は前記条件に該当する被写体名称をネットワーク３００を介して携帯通信端末１００へ送信する。
これにより、サーバ装置２００は携帯通信端末１００からの検索依頼に応じて対象となる被写体の名称を検索して送り返し、携帯通信端末１００はこれを受信して表示部１０５に画像情報と合成して表示することができる。
【００２１】
図４は、本発明の実施の形態に係る対象物案内表示システムに使用する携帯通信端末１００の処理動作を示すフローチャートである。以下、図４に添って本システムの処理動作を説明する。
利用者は、目標とするランドマークである被写体に関する検索条件を操作部１０６から入力（検索用文字の直接入力してもよく、あるいは、予め記憶部１１２に記憶されている複数の検索条件の中のいずれかを選択入力してもよい。）してカメラ機能を起動させる。
【００２２】
制御部１１３は、ランドマークに関する検索条件が指定されたと判断した場合には（ステップＳ１０１）、カメラ部１０４を、撮影（画像記録）モードではなく、名称検索モードとして起動させる（ステップＳ１０２）。
尚、検索条件として指定されるものは、例えば、携帯通信端末１００からの距離（はるか遠方、１０ｋｍ以内、数ブロック先、道路脇等）、被写体カテゴリー（建物、地名、公園、山等）、及び被写体高さ（高層、３〜５階、平屋、１００ｍ以上等）等に関する情報である。
【００２３】
次に、携帯通信端末１００の操作部１０６を操作して、カメラ部１０４により取得された画像中の任意の被写体にフォーカスする（ステップＳ１０３）。
制御部１１３は、カメラ部１０４により取得された画像中の任意の被写体にフォーカスされたと判断すると、測位情報をＧＰＳ受信部１０３から、カメラ部１０４が向いている方位情報を方位センサ１１０から取得し、これらの情報を通信ネットワーク３００を介してサーバ装置２００に送信する。この際、検索条件も合わせて送信する（ステップＳ１０４）。
【００２４】
このときの、具体的な携帯通信端末１００側での処理の一例を図５に示す。図５では、東京タワーの展望台から新宿方面を撮像し、携帯通信端末１００の緯度経度情報及びユーザが選択した検索条件をサーバ３００に送信して建物情報を検索する場合の条件例を示している。
サーバ装置２００では、携帯通信端末１００から送られる測位情報、方位情報及び検索条件を取得すると、これらを元に制御部２０２が地図データベース２０４を検索して、測位情報に含まれる緯度経度情報を中心として、取得した方位を中心とする所定角度範囲の方位内に位置し指定された距離に当てはまるランドマークを検索し、その名称を取得し、通信ネットワーク３００を介して携帯通信端末１００に返送する。
【００２５】
図６は、図５に示した条件でサーバ装置２００で行った検索の一例を示す。図６では、東京タワーから半径１０ｋｍ以内のランドマークを検索している。サーバ３００が保有する地図データベースには、各ランドマークの緯度経度情報が含まれている。サーバ３００は、携帯通信端末１００から送信された測位情報（携帯通信端末１００の現在位置に対応する。）に含まれる緯度経度を中心として、条件として指定された距離を満足する領域のランドマークを検索する。サーバ３００は、検索結果を携帯通信端末１００のアプリケーションで負荷なく軽快に表示できるような所定のフォーマットに変換し、携帯通信端末１００に送信する。
【００２６】
携帯通信端末１００では、無線通信部１０１がサーバ装置２００から送られる被写体であるランドマークの名称を受信し（ステップＳ１０５）、制御部１１３が、撮像されている画像情報上に被写体名称を合成し表示部１０５に表示して（ステップＳ１０６）、その後終了する。
これにより、表示部１０５には、被写体画像及び当該被写体画像に対応する被写体名称が対応付けて合成表示される。
【００２７】
図７に、図５に示した条件での携帯通信端末１００の表示部１０５の表示例を示す。この例ではカメラ部１０４が向いている方位は方位センサ１１０によって判別され（図７の例では北西の方向）、制御部１１３は通信部１０１がサーバ１０５から受信した被写体名称を取得し、当該被写体の画像と合成して表示部１０５に表示するように制御する。制御部１１３は、受信した被写体名称とカメラ部１０４のファインダーを通して撮影している被写体画像とを対応付けて合成し、この合成画像を表示部１０４に表示する。図７の例では、六本木ヒルズと新宿の建物群の画像に名称が合成表示されている。
【００２８】
処理ステップＳ１０１で、検索条件が指定されず、名称検索モードに入らなかった場合は、制御部１１３はカメラ部１０４を通常の撮影モードに設定し（ステップＳ１０７）、操作部１０６の走査に応答してカメラ部１０４による撮影を実行して（ステップＳ１０８）、その後終了する。
尚、携帯通信端末１００からは、方位情報を送信せず、測位情報及び検索条件だけを送信し、サーバ装置２００が携帯通信端末１００の周囲の条件に合致する名称情報を返信するようにしてもよい。即ち、サーバ２００は、携帯通信端末１００を中心として、指定された距離を半径とする円内のランドマークを検索して、それらの名称及び方位情報を携帯通信端末１００に送信するようにしてもよい。
【００２９】
この場合、携帯通信端末１００は、方位センサ１１０により取得した情報に基づき、カメラ部１０４の向かっている方向を判別（算出）しながら、受信した方位情報に合致する方位の被写体の名称を、カメラ画像（ファインダー画像）と合成して表示部１０５に出力する。
また、取得した被写体名称を携帯通信端末１００の小型の表示部１０５にすべて表示させるのではなく、操作部１０６により、表示部１０５で表示されている画像情報の対象を指定するポインティング操作子を操作して被写体を指定し、指定された任意の被写体名称のみ、カメラ画像に合成して表示部１０５に出力するようにしてもよい。
【００３０】
以上述べたように、本実施の形態によれば、携帯通信端末１００は、被写体画像を含む被写体周辺の画像情報を取得する撮像部１０４と、地図情報や前記画像情報を表示する表示部１０５と、現在位置している場所の位置情報を取得する測位部１０１と、現在位置からの前記被写体の方位情報を取得する方位取得部１１０と、少なくとも前記位置情報及び被写体の検索条件をネットワーク３００を介して送信すると共にネットワーク３００を介して前記検索した際の条件に対応付けた被写体名称を受信する通信部１０１と、通信部１０１が受信した被写体名称を取得し、方位が前記被写体画像に一致する被写体名称と前記被写体画像と合成して表示部１０５に表示するように制御する制御部１１３とを備えている。
【００３１】
また、サーバ２００は、地図情報データベース２０４を保持し、ネットワーク３００を介して携帯通信端末１００と接続され、携帯通信端末１００から少なくとも前記位置情報及び前記被写体の検索条件に基づく検索依頼を受けて、少なくとも前記位置情報及び前記検索条件に基づいて地図情報データベース２０４から被写体名称を検索し、前記検索した際の条件に対応付けた被写体名称を、ネットワーク３００を介して携帯通信端末１００へ送信するように構成されている。
【００３２】
したがって、自動的に対象物の名称などの関連情報を取得して、撮影している画像情報における観測方向に存在する対象物に名称を表示する携帯通信端末及び対象物案内表示システムを実現することが可能になる。
また、特別な指示を行うことなく、比較的簡単な操作で、自動的に対象物の名称などの関連情報のダウンロードが行われ、ダウンロードが終了した時点で自動的に撮影した画像情報中の対象物に名称を合成して表示することが可能な携帯通信端末及び対象物案内表示システムを提供することができる。
【００３３】
また、検索モードに入ったとたんに自動的に対象物の名称などの関連情報のダウンロードが開始され、利用者の観測方向が判断されて、ダウンロードが終了した時点で自動的に撮影した画像情報中の対象物にその名称を合成表示することが可能になる。
制御部１１３は、被写体の検索条件として少なくとも携帯通信端末１００から前記被写体までの距離、前記被写体のカテゴリー及び前記被写体の高さを用いることができる。
また、撮像部１０４で撮像されている被写体画像をフォーカスするフォーカスロック部を操作部１０６内に備え、制御部１１３は、前記フォーカスロック部の操作によって前記被写体画像がフォーカスされたとき、前記被写体名称を取得し、前記被写体画像と合成して表示部１０５に表示するよう制御することができる。
【００３４】
また、データの送受信が可能な通信部１０１を備え、通信部１０１は携帯通信端末１００の位置情報及び方位情報並びに被写体の検索条件をネットワーク３００を介して、地図情報データベースを保持する外部のサーバ２００に送信すると共に、前記位置情報、方位情報及び検索条件に基づいて前記地図情報データベースより検索された被写体名称をサーバ３００から取得するように構成することができる。この場合、サーバ２００の制御部２０２は前記位置情報、方位情報及び被写体の検索条件に基づいて、前記被写体の名称を検索し、通信部２０１が前記検索した際の条件に対応付けて被写体名称を携帯通信端末１００に送信する。
【００３５】
また、画像情報中の被写体画像を指示するポインティング操作子を備え、制御部１１３は、前記ポインティング操作子によって任意の前記被写体画像が指定されたとき、前記被写体に対応する被写体名称を表示部１０５に表示するように制御するよう構成することができる。
尚、本発明は前記した実施形態に限定されるものではなく、以下のような構成による変形も可能である。
【００３６】
例えば、前記実施の形態では、図４のフローチャートのステップＳ１０１で、検索条件が指定されたことによって名称検索モードに入り、ステップＳ１０３でのフォーカスロックをトリガーとして名称取得を実行している。しかし、他の操作でモードを切り替えても良いし、定期的なタイミングでの情報取得など、これ以外の方法を採用することもできる。
また、以上の実施の形態では、ランドマーク（建物名、地名など）の位置座標に関する情報はサーバ装置２００が地図データベース２０４に格納し、携帯通信端末１００は、通信ネットワーク３００を介してサーバ装置２００から被写体名称を取得するように構成されているが、携帯通信端末１００の記憶部１１２にランドマークに関する情報が格納される構成とすることも可能である。
【００３７】
また、最初に位置情報が携帯通信端末１００からサーバ装置２００に送られた時点で、その周辺の領域の地図データを広めにサーバ装置２００から携帯通信端末１００に送って記憶部１１２に記憶させ、以降はその記憶されている領域の地図データを用いて被写体名称を表示させるようにしても良い。
また、以上の説明では対象被写体の名称を画像情報とともに表示させるようにしたが、例えば特定地点からの距離などその他の情報を表示させるようにすることも勿論可能である。
【００３８】
また、携帯通信端末として、携帯電話のみならず、ＰＨＳ（Personal Handyphone System）、通信機能を有する携帯情報端末（ＰＤＡ）、通信機能を有する携帯型パソコン等、通信機能を有する携帯端末にも適用可能である。
【産業上の利用可能性】
【００３９】
本発明は、携帯通信端末を用いて対象ランドマークの名称を容易に入手して表示可能にできるので、携帯電話業界やナビゲーションシステムの業界などで広範な利用が考えられる。
また、携帯電話のみならず、ＰＨＳ、携帯情報端末、携帯型パソコン等の通信機能を有する携帯端末にも利用可能である。
【図面の簡単な説明】
【００４０】
【図１】本発明の対象物案内表示システムの構成を示すブロック図である。
【図２】本発明の携帯通信端末の機能ブロック図である。
【図３】本発明の本発明の対象物案内表示システムのサーバ装置の機能ブロック図である。
【図４】本発明の携帯通信端末の処理動作を示すフローチャとである。
【図５】本発明の携帯通信端末側での処理の一例を示す説明図である。
【図６】本発明の対象物案内表示システムのサーバ装置で行った検索の一例を示す説明図である。
【図７】本発明の携帯通信端末の表示部での表示例を示す説明図である。
【符号の説明】
【００４１】
１００  携帯通信端末
１０１  無線通信部
１０２  放送受信部
１０３  ＧＰＳ受信部
１０４  カメラ部
１０５  表示部
１０６  操作部
１０７  音声処理部
１０８  マイクロフォン
１０９  スピーカ
１１０  方位センサ
１１１  報知部
１１２  記憶部
１１３  制御部
１１４  アンテナ  
２００  サーバ装置
２０１  通信部
２０２  制御部
２０３  記憶部
２０４  地図データベース
３００  通信ネットワーク
【図１】
2010124185.tif 000003
【図２】
2010124185.tif 000004
【図３】
2010124185.tif 000005
【図４】
2010124185.tif 000006
【図５】
2010124185.tif 000007
【図６】
2010124185.tif 000008
【図７】
2010124185.tif 000009